(57)【要約】【課題】  記憶媒体に価値付けされたポイント情報を簡単に他の記憶媒体に価値付けすることができるようにした自動販売機を提供する。【解決手段】  制御部１０３から商品が購入されたことを示す商品情報を受信した電子決済部１００の電子決済制御部１０が、入出力部１２からのポイント情報の入力（読み込み）を受け付けることにより、表示部１３で指定された移行元のポイント情報と移行先のポイント情報との組合せに基づいて、同じく指定された移行元のポイント数を移行する処理の指示をポイント移行処理部１５へと指示して、ポイント移行処理部１５が入出力部１２を介してポイントを移行する処理を行う。【選択図】図１
2009282657.tif 000002
【特許請求の範囲】
【請求項１】
商品の販売操作がなされたことを条件に、記憶媒体に付加された所定のポイントシステムにより管理されるポイント情報を他の記憶媒体へ付加若しくは他のポイントシステムにより管理される他のポイント情報に変換して他の記憶媒体へ付加するポイント処理モードへ移行するモード移行手段と、
前記モード移行手段によってポイント処理モードへ移行した後、交換元のポイント情報を受け付けるポイント情報受付手段と、
交換先のポイント情報の種別を指定する種別指定手段と、
前記ポイント情報受付手段によって受け付けたポイント情報を前記種別指定手段によって指定された種別のポイント情報に変換するポイント情報変換処理手段とを具備する自動販売機であって、
前記他の記憶媒体に付加されたポイント情報の種別が、前記種別指定手段によって指定された前記ポイント情報の種別であるかを判断する種別判断手段を更に具備し、
前記ポイント情報変換処理手段は、前記種別判断手段により、前記種別指定手段によって指定された前記種別のポイント情報が付加された記憶媒体であると判断される場合に、前記ポイント情報の変換処理を実行する自動販売機。
【請求項２】
前記ポイント情報変換処理手段は、
前記ポイント情報受付手段によって受け付けたポイント情報の種別が前記種別指定手段により指定された種別と同一である場合は、当該ポイント情報受付手段により受け付けたポイント情報を他の記憶媒体へ付加するとともに前記交換元のポイント情報が付加されていた記憶媒体のポイント情報を無効にし、
前記ポイント情報受付手段によって受け付けたポイント情報の種別が前記種別指定手段により指定された種別と異なる場合は、前記ポイント情報受付手段により受け付けたポイント情報を前記種別指定手段によって指定された種別のポイント情報に変換して他の記憶媒体へ付加するとともに前記交換元のポイント情報が付加されていた記憶媒体のポイント情報を無効にするポイント情報変換処理を実行する請求項１記載の自動販売機。
【請求項３】
前記ポイント情報受付手段によって受け付けたポイント情報のポイント数のうち、所定のポイント数を指定するポイント数指定手段を更に具備し、
前記ポイント情報変換処理手段は、前記ポイント情報受付手段により受け付けたポイント情報の内の前記ポイント数指定手段により指定されたポイント数に対して前記ポイント情報の変換処理を実行する請求項１または２記載の自動販売機。
【請求項４】
前記販売手段によって販売した商品の金額に対して前記ポイント情報変換処理手段により変換可能なポイント数を設定する設定手段とを更に具備し、
前記ポイント情報変換処理手段は、前記ポイント数指定手段によって指定したポイント数が、前記設定手段で設定されたポイント数以下である場合に、前記ポイント情報の変換処理を実行する請求項１または２記載の自動販売機。
【発明の詳細な説明】
【技術分野】
【０００１】
本発明は、自動販売機に関する。
【背景技術】
【０００２】
商品の販売やサービスの提供の際の特典として、ポイント情報を利用者が持つポイントカードなどの記憶媒体に付与するポイントサービスがある。ポイントサービスにより記憶媒体に付与されたポイント情報は、販売する商品の購入や提供するサービスの利用に用いることができ、ポイントサービスを提供する事業者の売り上げ向上に役立てている。
一般的に、これらのポイント情報は、提供する販売店ごとにより異なっており、商品を購入する販売店が異なる場合には異なるポイントサービスが提供される。
特許文献１には、提供されるポイントサービスが同一であって、このポイントサービスにより付与されるポイント情報が、複数のポイントカードに分離している場合にこれら全てのポイント情報を１つのポイントカードに集計する技術が開示されている。
【０００３】
【特許文献１】特開平０６−０６８３５７号公報
【発明の開示】
【発明が解決しようとする課題】
【０００４】
さまざまな種類のポイントサービスが提供される中で、異なるポイントサービスのポイント情報を他のポイントサービスのポイント情報へ移行できるようにした技術が公開されている。
【０００５】
だが、上記に示すような技術を用いたポイント情報の移行には、ポイントサービスを提供する販売店の窓口やパソコン等のコンピュータを用いて行う必要があって煩雑であり混雑な手間を要するだけでなく、実際にポイント情報が移行されるまでには多くの時間を要することになる。
【０００６】
そこで、本発明は、記憶媒体に価値付けされたポイント情報を簡単に他の記憶媒体に価値付けすることができるようにした自動販売機を提供することを目的とする。
【課題を解決するための手段】
【０００７】
上記目的を達成するため、請求項１の発明は、商品の販売操作がなされたことを条件に、記憶媒体に付加された所定のポイントシステムにより管理されるポイント情報を他の記憶媒体へ付加若しくは他のポイントシステムにより管理される他のポイント情報に変換して他の記憶媒体へ付加するポイント処理モードへ移行するモード移行手段と、前記モード移行手段によってポイント処理モードへ移行した後、交換元のポイント情報を受け付けるポイント情報受付手段と、交換先のポイント情報の種別を指定する種別指定手段と、前記ポイント情報受付手段によって受け付けたポイント情報を前記種別指定手段によって指定された種別のポイント情報に変換するポイント情報変換処理手段とを具備し、前記他の記憶媒体に価値付けされたポイント情報の種別が、前記種別指定手段によって指定された前記ポイント情報の種別であるかを判断する種別判断手段を更に具備し、前記ポイント情報変換処理手段は、前記種別判断手段により前記種別指定手段によって指定された前記種別のポイント情報が価値付けされた記憶媒体であると判断される場合に、前記ポイント情報の変換処理を実行する。
【０００８】
また、請求項２の発明は、請求項１の発明において、前記ポイント情報変換処理手段は、前記ポイント情報受付手段によって受け付けたポイント情報の種別が前記種別指定手段により指定された種別と同一である場合は、当該ポイント情報受付手段により受け付けたポイント情報を他の記憶媒体へ付加するとともに前記交換元のポイント情報が付加されていた記憶媒体のポイント情報を無効にし、前記ポイント情報受付手段によって受け付けたポイント情報の種別が前記種別指定手段により指定された種別と異なる場合は、前記ポイント情報受付手段により受け付けたポイント情報を前記種別指定手段によって指定された種別のポイント情報に変換して他の記憶媒体へ付加するとともに前記交換元のポイント情報が付加されていた記憶媒体のポイント情報を無効にするポイント情報変換処理を実行する。
【０００９】
また、請求項３の発明は、請求項１または２の発明において、前記ポイント情報受付手段によって受け付けたポイント情報のポイント数のうち、所定のポイント数を指定するポイント数指定手段を更に具備し、前記ポイント情報変換処理手段は、前記ポイント情報受付手段により受け付けたポイント情報の内の前記ポイント数指定手段により指定されたポイント数に対して前記ポイント情報の変換処理を実行する。
【００１０】
また、請求項４の発明は、請求項１または２の発明において、前記販売手段によって販売した商品の金額に対して前記ポイント情報変換処理手段により変換可能なポイント数を設定する設定手段とを更に具備し、前記ポイント情報変換処理手段は、前記ポイント数指定手段によって指定したポイント数が、前記設定手段で設定されたポイント数以下である場合に、前記ポイント情報の変換処理を実行する。
【発明の効果】
【００１１】
本発明によれば、さまざまな場所に設置され、通常２４時間の稼動状態にある自動販売機で記憶媒体に価値付けされたポイント情報を簡単に他の記憶媒体に価値付けすることができるようになるという効果を奏する。
【発明を実施するための最良の形態】
【００１２】
以下、本発明に係わる自動販売機の一実施例を添付図面を参照して詳細に説明する。
【実施例】
【００１３】
図１は、本発明の実施の形態における自動販売機の構成を示す図の一例である。図１において、自動販売機は、商品を金銭の対価として販売し、相当する金銭の支払いにより商品を払い出す装置であって、硬貨および紙幣の貨幣による金銭の支払いのほか、携帯端末やＩＣカードなどの記憶媒体に記憶された金銭的価値による支払いが可能である。
【００１４】
また、この記憶媒体には、さらにポイント情報が記憶されている。このポイント情報は商品の購入やサービスの授受によりその特典として付与される情報であって、金銭的価値を有することから商品の購入に充当できるほか、特定の商品およびサービスとの引き換えが可能な情報である。
【００１５】
ポイント情報は、発行元や利用形態により複数の種類が存在し、ポイント情報を利用するサービスや商品によって利用できるポイント情報が異なる。例えば、ある企業の二社が発行する異なるポイント情報の数量（以下、「ポイント数」という）について、これらが同一である場合においても、双方のポイント数に対する価値が異なる場合があることを示す。
【００１６】
図１に示す自動販売機は、電子決済部１００、紙幣処理部１０１、硬貨処理部１０２、制御部１０３、商品払出部１０４を具備し、記憶媒体に価値付けされたポイント情報を、他の記憶媒体に価値付けされたポイント情報へ変換して移行する処理を行う。このとき、移行元と移行先のポイント情報の種別の同一性は問わない。
【００１７】
また、移行するポイント情報は、自動販売機が販売する商品の購入に用いた記憶媒体が記憶するポイント情報だけではなく、商品の購入に用いた記憶媒体以外の他の記憶媒体が記憶するポイント情報についても移行可能である。
【００１８】
紙幣処理部１０１および硬貨処理部１０２は、投入された紙幣および硬貨を認識して貨幣による決済を行う。紙幣処理部１０１、硬貨処理部１０２では、処理した貨幣の金額を制御部１０３へと通知し、制御部１０３では、紙幣処理部１０１、硬貨処理部１０２に投入された紙幣および硬貨の金額が販売する商品の金額以上であると判断される場合にその商品の払い出しを商品払出部１０４へと指示し、差額が生じる場合にはその差額を返金する。
【００１９】
商品払出部１０４では、制御部１０３からの商品の払い出し指示に基づき、指定された商品を搬出することによる払い出しを行う。このときの制御部１０３は、自動販売機における主制御であって、商品の販売における全処理の制御を行う。また、電子決済部１００は、記憶媒体に価値付けされた有価情報による電子決済の処理を行う。この電子決済部１００は、電子決済制御部１０、情報処理部１１、入出力部１２、表示部１３、通信部１４、ポイント移行処理部１５、情報記憶部１６、タイマー部１７を具備して構成される。
【００２０】
この電子決済部１００は、制御部１０３から商品が購入されたことを示す購入完了通知を電子決済制御部１０で受信する。このとき、電子決済制御部１０は、表示部１３に図３（ａ）に示すような画面を表示させ、記憶媒体に価値付けされたポイント情報の移行処理を行うかを商品の購入者に問い合わせる。
【００２１】
ポイント情報の移行処理が指示されると、移行処理が可能な状態（ポイント処理モード）に移行し、タイマー部１７に計時を指示する。このとき受信した購入完了通知には、商品を購入された商品の商品情報（商品名、金額、数量等）、購入時間が含まれる。
【００２２】
また、表示部１３は、タッチパネル式の表示ディスプレイであって、表示する画面上の操作により購入者からの指示を受け付ける。もちろん、タッチパネル式に限定されることはなく、操作盤を他に設け、購入者がこの操作盤を用いて指示するような構成であってもよい。
【００２３】
電子決済制御部１０では、ポイント情報の移行処理が指示されることによりポイント処理モードとなると、表示部１３に図３（ｂ）に示すような画面を表示し、移行元と移行先のポイント情報の種別の組合せを指定可能な状態とする。この画面により商品の購入者がその組合せを選択すると、続いて、図４（ａ）に示すような画面を表示し、商品の購入者に対して入出力部１２へ移行元のポイント情報の入力を指示する。
【００２４】
購入者が移行元のポイント情報を記憶する記憶媒体を入出力部１２にかざす若しくは接触させることによりポイント情報を入力（読み込み）すると、情報処理部１１は、読み込んだポイント情報からポイント種別およびポイント数を認識する。
【００２５】
情報処理部１１でこれらのポイント情報が認識されると、電子決済制御部１０では、図３（ｂ）に示すような画面で指定した組合せにおける移行元のポイント情報が示すポイント種別であるかを判断する。指定した組合せにおける移行元のポイント情報である場合に、移行元のポイント情報を決定する処理を行う。
【００２６】
この決定処理では、入出力部１２で入力されたポイント数のうち、移行する移行ポイント数が指定されることにより決定する。このときの移行ポイント数を指定する方法として図４（ｂ）に示す画面を用いる方法がある。
【００２７】
続いて、電子決済制御部１０は、決定処理により決定した移行ポイント数の移行処理を行うための移行前処理を行う。この移行前処理は、情報記憶部１６に記憶するポイント情報の移行における情報（ポイント情報の移行比率等）を読み出して移行するポイント数を決定する処理である。このほか、この移行前処理として、通信部１４を介して管理センター等のセンタ装置１２０に指定された移行ポイント数と移行を希望するポイント数とを送信し、管理センターのセンタ装置１２０により承認されることにより、移行するポイント数を決定する処理である。
【００２８】
このような移行前処理により移行する移行ポイント数が決定すると、移行元のポイント情報の入力（読み込み）を購入者に指示する。このポイント情報が入力（読み込み）されると、移行するポイント数を差し引いたポイント数を出力（書込み）する。
【００２９】
次に、ポイント情報を移行する移行先の記憶媒体を入出力部１２にかざすことを指示する画面を表示部１３に表示させ、購入者により記憶媒体がかざされることによって認識処理を行い、ポイント移行処理部１５が移行先の記憶媒体が記憶するポイント情報の種別へ変換してそのポイント情報を移行する処理を行う。
【００３０】
この移行処理に際して、タイマー部１７が計時する時間が一定時間を経過した場合には移行処理を無効とする。このようにしてポイント情報の移行処理が完了すると、商品の購入が可能な販売状態へと切り替える。
【００３１】
なお、上記では、指定されたポイント数全てを移行可能としているが、電子決済制御部１０では、制御部１０３から受信した購入完了通知に含まれる商品情報の金額を特定し、情報記憶部１６に記憶する「商品の購入金額に対する移行可能なポイント数の情報」を用いて移行することを可能とするポイント数を制限するような構成であってもよい。
【００３２】
この場合の情報記憶部１６が記憶する「商品の購入金額に対する移行可能なポイント数の情報」として、例えば、購入金額に対して上限の移行可能ポイント数を設定した情報がある。この情報は、さらにポイント種別ごとに設定するような構成であってもよい。
【００３３】
図２は、本発明の実施の形態における自動販売機で行われるポイント情報の移行処理の流れを示すフローチャートである。  図２では、利用者によって販売する商品が購入され、図３（ａ）に示すポイント移行処理の開始を指示する画面を表示することにより処理が開始される。
【００３４】
図３（ａ）に示す画面は、商品の購入により表示する画面であって、[はい]ボタン３０１を押下することによりポイント移行モードとなってポイント移行処理が開始され、[いいえ]ボタン３０２を押下すると販売する商品の購入が可能な通常の状態となる。この図３（ａ）に示す画面は、商品の購入が行われてから一定時間を経過することにより非表示となり、[いいえ]ボタン３０２を押下した状態と同様に、販売する商品の購入が可能な状態となる。
【００３５】
図２において、図３（ａ）に示すような画面が表示された状態で[はい]ボタン３０１が一定時間内に押下されたかを判断する（２０１）。一定時間内に押下されない場合（２０１でＮＯ）には通常の商品販売状態となって本フローチャートにおける処理を終了し、一定時間内に[はい]ボタン３０１が押下された場合（２０１でＹＥＳ）には以下に示すポイント移行の処理を行う。
【００３６】
まず、図３（ｂ）に示すようなポイント移行画面を表示する（２０２）。この図３（ｂ）に示すポイント移行画面は、移行可能な移行元ポイントと移行先ポイントとの組合せを示しており、利用者がいずれかの組合せを指定して[確定]ボタン３０６を押下することによって指定した組合せでのポイント移行の処理が開始される。このとき、[修正]ボタン３０５を押下すると指定した組合せを修正して変更することができる。
【００３７】
図３（ｂ）に示すポイント移行の組合せは、ポイント情報を提供する会社等との提携により複数設けることが可能であって、一度に表示されない他の組合せはスクロールボタン３０４を押下することにより順次表示されて指定可能となる。
【００３８】
なお、[移行取消]ボタン３０３を押下すると、ポイント移行の処理を終了し、商品の購入が可能な通常の状態となる。
このような画面でいずれかの組合せが指定されて[確定]ボタン３０６が利用者により押下されると、指定された移行元のポイント（移行元ポイント）が関連付けられた電子マネーカードの提示を指示する画面を表示する（２０３）。この画面の一例が図４（ａ）である。
【００３９】
図４（ａ）に示す画面は、移行元のポイントを認識するために電子マネーカードをかざすことによる提示を指示する画面であって、電子マネーカードがカードリーダライタにかざされてポイントに関する情報（ポイント種別、ポイント数）を読み込むことで認識処理を行う（２０４）。この認識処理の詳細な流れを図７に示す。
【００４０】
電子マネーカードをかざすことにより移行元のポイントの認識処理が行われると、その認識処理によってポイントが認識できたかを判断する（２０５）。ポイントが認識できた場合（２０５でＹＥＳ）には、図４（ｂ）に示すような画面を表示して移行するポイント数を決定する処理を行う（２０６）。
【００４１】
また、ポイントが認識できない場合（２０５でＮＯ）には、図５（ａ）に示すようなポイント情報が認識できない旨の画面を表示する（２１９）。ちなみに、この図５（ａ）に示す画面が表示された場合には単純に読み取りがうまくいかなかった場合があることから、商品の購入後、ポイント移行を行う状態となってからから一定時間内であるかを判断して（２２０）一定時間内である場合（２２０でＹＥＳ）に、再度、電子マネーカードの読み取りを可能な状態として、ステップ２０４以降を繰り返し行う。それに対して、商品の購入後、ポイント移行を行う状態となってからから一定時間を経過した後は（２２０でＮＯ）、初期化処理を行って（２２１）処理を終了する。
【００４２】
ポイントが認識できた場合に示される図４（ｂ）に示す画面は、ソフトテンキー３０８を押下することで移行するポイント数の指定が可能であり、ソフトテンキー３０８を押下して指定したポイント数がポイント表示ボックス３０７に表示される。図４（ｂ）に示す例では、移行するポイント数として「１０００」ポイントが指定された状態を示している。
【００４３】
このようにポイント数が指定された状態で[確定]ボタン３０６を押下することにより移行元のポイント数が決定する。また、[修正]ボタン３０５を押下すると指定したポイント数を修正して変更することができる。ちなみに、[移行取消]ボタン３０３を押下するとポイント移行の処理を終了する。
【００４４】
移行元のポイント数が決定すると、そのポイント数を移行元のポイントから読み出すために、再度利用者から電子マネーカードの提示を受けてその電子マネーカードに関連付けられたポイント種別、ポイント数の認識処理および必要に応じて利用者の認証処理を行う（２０７）。
【００４５】
この場合の認証処理は任意であって、例えばポイントの利用に際してパスワード等の入力による認証が必要な場合にのみ行うような構成である。ちなみに、認識処理の詳細な流れを図７に示している。
【００４６】
そして、この認識処理および利用者の認証処理によってポイント情報が認識されかつ認証が必要な場合には認証されたかを判断して（２０８）、ポイント情報を認識できない若しくは利用者を認証できない場合（２０８でＮＯ）には、図５（ａ）に示すようなポイント情報が認識できない旨若しくは認証できない旨の画面を表示する（２２４）。この表示の後に、ポイント移行を行う状態となってからから一定時間内であるかを判断して（２２５）一定時間内である場合（２２５でＹＥＳ）に、再度、電子マネーカードの読み取りを可能な状態として、ステップ２０７以降を繰り返し行う。それに対して、商品の購入後、ポイント移行を行う状態となってからから一定時間を経過した後は（２２５でＮＯ）、初期化処理を行って（２２１）処理を終了する。
【００４７】
それに対して、ポイント情報が認識できて必要な場合に利用者を認証ができた場合（２０８でＹＥＳ）には、移行先のポイントが関連付けられた電子マネーカードの提示を指示する図５（ｂ）に示すような画面を表示する（２０９）。そして、移行先のポイントが関連付けられた電子マネーカードの提示を受けるまでの経過時間の計時を開始する（２１０）。一定時間を経過したかの判断（２１１）によって一定時間を経過したと判断する場合（２１１でＹＥＳ）には、初期化処理をして（２２１）ポイント移行を終了する。
【００４８】
図５（ｂ）に示す画面は、図３（ｂ）に示すような画面によって示されたポイント移行の組合せで図４（ｂ）に示すような画面で指定されたポイント数を移行する場合に、移行元のポイント数と移行先のポイント数との移行状態を示す。この図５（ｂ）に示す画面では、「○○ポイントの１０００ポイント分が、××ポイントの１０００ポイント分に移行」される旨を表示している。すなわち、○○ポイントと××ポイントは等価でポイント移行されることを示している。
【００４９】
この図５（ｂ）に示す画面でも、[移行取消]ボタン３０３を押下することによりポイント移行が中止される。
【００５０】
図５（ｂ）に示す画面が表示された状態で、移行先のポイントが関連付けられた電子マネーカードがカードリーダライタにかざされることによって提示されると、ポイント種別の認識処理が行われる（２１２）。この認識処理によってポイントが認識されたかを判断する（２１３）。
【００５１】
認識されたと判断する場合（２１３でＹＥＳ）には、図５（ｂ）の画面に示す状態のポイント移行を行う（２１４）。このポイント移行処理によってポイント移行が完了したかを判断して（２１５）、移行が正常に完了した場合（２１５でＹＥＳ）には、図６（ｂ）に示すようなポイント移行の完了を示す画面の表示を行う（２１７）。
【００５２】
図６（ｂ）に示す画面は、移行元のポイントと移行先のポイントの移行が完了したことを示す画面であって、この図６（ｂ）には「○○ポイントの１０００ポイント分が、××ポイントの１０００ポイント分に移行」されたことを表示している。また、移行が完了していない場合（２１５でＮＯ）には、移行中である旨の表示を行って（２１６）移行処理が完了するのを待つ。
【００５３】
それに対して、ポイント種別の認識処理によってポイント情報が認識できない場合、例えばポイント移行の組合せに指定した移行先のポイント情報の種別とは異なるポイント数が関連付けられた電子マネーカードが提示された場合等では、図６（ａ）に示す画面を表示して一定時間を経過したかを判断する（２２３）。一定時間を経過した場合（２２３でＹＥＳ）には、初期化処理を行って処理を終了する（２２１）。また、一定時間を経過していない場合（２２３でＮＯ）には、再度ポイント種別の認識処理を行うことも可能である。
【００５４】
ちなみに、ステップ２１２で電子マネーカードがカードリーダライタにかざされて、ステップ２１７のポイント移行の完了を示す画面を表示するまでの処理は電子マネーカードがかざされている間に行われる処理である。
【００５５】
以上に示す図２のフローチャートの処理では、移行元のポイント情報が関連付けられた電子マネーカードと移行先のポイント情報が関連付けられた電子マネーカードとをその都度、かざすことにより提示するような構成であるが、これに限定されず、図１に示すような構成からなる自動販売機に、移行元のポイント情報が関連付けられた電子マネーカードと移行先のポイント情報が関連付けられた電子マネーカードを挿入するカード挿入口やカードを置いた状態とするカード設置台を設けた構成であってもよい。この場合、いずれのカードも挿入された状態若しくは設置された状態となり利用者によるかざす等の操作を繰り返して行う必要がなくなる。
【００５６】
図７は、図２のフローチャートにおけるステップ２０４およびステップ２１２に示す認識処理の詳細な流れを示すフローチャートである。図７において、まず、カードリーダにかざされた電子マネーカードからカード情報およびポイント情報（ポイント種別、ポイント数）の読み取りを行う（７０１）。次に、この読み取り処理によってポイント情報を読み取ったかを判断して（７０２）、読み取ることができた場合（７０２でＹＥＳ）には、ポイント種別とポイント数が認識できた状態とする（７０３）。この場合、ポイント情報が登録されている電子マネーカードであることを示す。
【００５７】
また、電子マネーカードによりポイント情報（ポイント種別、ポイント数）が読み取ることができない場合（７０２でＮＯ）、例えばポイントを識別するポイント識別情報のみをカード情報として記憶しておき、ポイントを管理センターのセンタ装置で管理している等の場合には、そのポイント識別情報を元に、センタ装置に問い合わせる（７０４）。
【００５８】
この問合せに対してセンタ装置からポイント数を取得したかを判断して（７０５）、ポイント種別やポイント数を取得した場合（７０５でＹＥＳ）にはこのポイント種別やポイント数を認識できた状態とする（７０３）。
【００５９】
また、センタ装置からポイント種別やポイント数が取得できない場合（７０５でＮＯ）にはこれらが認識できない状態とする（７０６）。
【００６０】
なお、図２のフローチャートにおけるステップ２０７で、ポイントの利用に際して利用者を識別する必要がある場合には、図８に示すような処理が行われる。図８は、図７に示す処理にポイントの利用に際して認証情報の入力を行う場合の処理の流れを示している。
【００６１】
図８では、カードリーダライタでカード情報、ポイントの読み取り処理を行うと（７０１）、続いて、認証情報の入力を受け付ける（８０１）。例えば、パスワードの入力が利用者により行われる。
【００６２】
入力されたパスワードを含む認証要求を認証サーバ等に送信して（８０２）、認証されたかを判断する（８０３）。認証されない場合（８０３でＮＯ）には処理を終了し、認証された場合（８０３でＹＥＳ）には、図７に示すステップ７０２以降の処理を行う。
【００６３】
図９は、購入した商品の金額に対して移行可能なポイント数が設定されている状態で、移行元のポイント数を決定する図２に示すステップ２０６の処理の詳細な流れを示すフローチャートである。図９において、図４（ｂ）に示すような画面を用いて移行元のポイント数が指定される（９０１）と、利用者により購入された商品の金額に対して移行可能とするポイント数（移行可能ポイント数）を読み出す（９０２）。この移行可能ポイント数は、図３（ｂ）の画面により指定された組合せの移行元のポイントに対して移行可能なポイント数として金額ごとに指定された値である。
【００６４】
続いて、指定された移行するポイント数よりも移行可能ポイント数のほうが大きいかを判断する（９０３）。移行可能ポイント数の方が大きい場合（９０３でＹＥＳ）には、指定した移行元ポイント数を移行元のポイント数に決定する（９０４）。また、移行可能ポイント数よりも指定された移行するポイント数の方が大きい場合（９０３でＮＯ）には、移行可能なポイント数以上が指定されたことから、ポイント移行ができない旨を表示して（９０５）、再度、移行元のポイントを指定できるようにする。
【００６５】
本発明は、上記し、且つ図面に示す実施例に限定することなく、その要旨を変更しない範囲内で適宜変形して実施できるものである。
【図面の簡単な説明】
【００６６】
【図１】本発明の実施の形態における自動販売機の構成を示す図の一例。
【図２】本発明の実施の形態における自動販売機で行われるポイント移行処理の流れを示すフローチャート。
【図３】表示画面の例を示す図。
【図４】表示画面の例を示す図。
【図５】表示画面の例を示す図。
【図６】表示画面の例を示す図。
【図７】本発明におけるポイント情報を認識する処理の流れを示すフローチャート。
【図８】本発明におけるポイント情報を認識する処理および利用者を認証する処理の流れを示すフローチャート。
【図９】本発明における移行元ポイントを決定する処理の詳細な流れを示すフローチャート。
【符号の説明】
【００６７】
１０      電子決済制御部
１１      情報処理部
１２      入出力部
１３      表示部
１４      通信部
１５      ポイント移行処理部
１６      情報記憶部
１７      タイマー部
１００    電子決済部
１０１    紙幣処理部
１０２    硬貨処理部
１０３    制御部
１０４    商品払出部
【図１】
2009282657.tif 000003
【図２】
2009282657.tif 000004
【図３】
2009282657.tif 000005
【図４】
2009282657.tif 000006
【図５】
2009282657.tif 000007
【図６】
2009282657.tif 000008
【図７】
2009282657.tif 000009
【図８】
2009282657.tif 000010
【図９】
2009282657.tif 000011